(57)【要約】      （修正有）【課題】紙媒体と同等程度にまで軽量化され携帯性にすぐれた電波起動フレキシブル基盤と感熱紙の組み合せによる表示装置を提供する。【解決手段】フレキシブル基盤は、受信装置１と制御装置２とバッテリー３と回路４と抵抗器５と音声発信装置６と柔軟性を有するシート２０から構成されている。フレキシブル基盤シート２０の上に、前もって加熱前から熱変色防止液で印刷されている情報箇所を有する感熱紙が積層される。外部装置から指示電波が送信され、指示電波を受信すると、抵抗器５に到達する回路４に一定時間通電するように制御を行う。感熱紙の該当箇所が炙り出しのように変色し、熱変色防止液塗布個所は白抜きに表示される。【選択図】図１
2018001417.tif 000002
【特許請求の範囲】
【請求項１】
外部装置から送信された特定のアクションを指示する指示電波を受信する受信装置と、
複数の電気抵抗及び通電配線を配置したフレキシブル基盤と、
前記フレキシブル基盤に取り外し可能に積層されている感熱紙と、
前記受信装置が受信した前記指示電波の信号に基づき前記各電気抵抗への通電を制御する制御装置と、
電気回路に電源を供給するバッテリーと、を有する表示装置。
【請求項２】
外部装置から送信された特定のアクションを指示する指示電波を受信する受信装置と、
複数の電気抵抗及び通電配線を配置したフレキシブル基盤と、
前記フレキシブル基盤に取り外し可能に積層されている感熱紙と、
前記受信装置が受信した前記指示電波の信号に基づき前記各電気抵抗への通電を制御する制御装置と、
前記指示電波を受信したときに音声を発信する音声発信装置と、
電気回路に電源を供給するバッテリーと、を有する表示装置。
【請求項３】
前記感熱紙は、熱変色防止液が施された非変色部を有し、前記電気抵抗への通電による発熱をもって前記感熱紙が変色するとき、前記非変色部が変色しないようにすることにより感熱で炙り出しのように変色する箇所に白抜きでマークや文字を表示することを特徴とする請求項１又は２に記載の表示装置。
【請求項４】
前記感熱紙は、示温インク塗布箇所を有し、前記電気抵抗への通電による発熱をもって前記感熱紙が変色するとき、前記示温インク塗布箇所がカラー表示されることを特徴とする請求項１から３のいずれか１項に記載の表示装置。
【発明の詳細な説明】
【技術分野】
【０００１】
本発明は、軽量化と表示方法の新規性を有する表示装置に関する。
【背景技術】
【０００２】
従来の紙媒体への印刷装置では、電波で印字の指示データ授受することで無線化を実  現し、電源供給装置の一元化によって軽量化を進めたものがある（例えば、特許文献１  参照）。
【０００３】
また、従来の表示装置の軽量化を、有機ＥＬによるフレキシブルな表示装置によって  実現させたものもある（例えば、特許文献２参照）。
【先行技術文献】
【特許文献】
【０００４】
【特許文献１】特開平１０−３３７９３１号公報
【特許文献２】特開２００６−１８１３２号公報
【発明の概要】
【発明が解決しようとする課題】
【０００５】
以上に述べた、従来の印字装置は印字ヘッドやインクタンクを有しており、軽量化に  は限界があった。
【０００６】
また、有機ＥＬによるフレキシブル表示装置は一過性の表示であり、紙媒体への印刷  の表示表現のような時点止め情報の表示および配布性はなかった。
【課題を解決するための手段】
【０００７】
本発明は、電波起動フレキシブル基盤と感熱紙の組み合せによる表示装置であるため  、紙媒体と同等程度にまで軽量化され携帯性にすぐれている。
【０００８】
また、有機ＥＬによるフレキシブル表示装置にはない、時点止め情報の表示および情  報表示後の紙媒体の分離配布が可能である。
【０００９】
さらに、フレキシブル基盤に積層された感熱紙には熱変色防止液が施された非変色部  を有し、感熱で炙り出しのように変色する箇所に白抜きでマークや文字が現れたりする  というこれまでのデジタル機器にはなかった表示方法であり、表示方法としての新規性  も有している。
【発明の効果】
【００１０】
前述したように、本発明の表示装置は紙と同等程度まで軽量化できるため、歩くイベントのポイント通過をもって自動刻印できるスタンプラリーカードなど新たなユーザー体験を創造できる。
【００１１】
また、フレキシブル基盤に積層された感熱紙はフレキシブル基盤から取り外して持ち帰ることが可能であるので、参加者の参加証としての活用シーンの創造とともに、電波起動フレキシブル基盤自体は使いまわしが可能であり、主催者はこれを回収して次回イベントに活用することで経済面での優位性も有している。
【図面の簡単な説明】
【００１２】
【図１】フレキシブル基盤のシステムブロック図
【図２】実施例１：ウォークラリー事例の説明図      フレキシブル基盤と感熱紙をセットし巻物状に装丁したもの    （赤字は加熱前から印刷されている基本的な地図情報で、その上に      ６．感熱表示後の白抜き印字、７．示温インク塗布のサンプル図案付き）
【図３】実施例２：ビンゴカード事例の説明図
【図４】実施例３：迷子カード事例の説明図
【図５】動作のフローチャート図
【発明を実施するための形態】
【００１３】
以下、本発明の基本構成及びその動作について、実施例１（ウォークラリー事例の通過スタンプ）を図１、図２及び図５のフローチャートに基づいて説明する。なお、説明中の番号は図１および図２の各番号に対応している。
【００１４】
図２は、高齢者主体で奈良の古墳を巡るウォーキングイベントで試験導入した際に巻物様に装丁したものである。フレキシブル基盤１０は、受信装置１と制御装置２とバッテリー３と回路４と抵抗器５と音声発信装置６と柔軟性を有するシート２０から構成されている。図２に示すようにフレキシブル基盤１０のシート２０の上に、前もって加熱前から印刷されている基本的な地図情報箇所９を有する感熱紙３０が積層される。図５のフローチャートに基づいて詳しい動作を説明する。
【００１５】
（ＳＴＥＰ１）
係員が持つスマートフォンなどの外部装置から指示電波が送信される。
（ＳＴＥＰ２）
受信装置１で、指示電波を受信する。
（ＳＴＥＰ３）
制御装置２  で  音声発信装置６  から  指示に応じた音声を出す。
指示は  回路４を通じて行われ電力は  バッテリー３から確保する。図２のウォークラリー事例では、巻物スタイルのため発熱開始前に巻物を広げて頂くきっかけになるように音声を発信する。ちなみに、図３のビンゴカード事例では、「〇〇番です」などアクションに応じた音声を発し、図４の迷子カード事例では「現在この人を捜索中です。緊急連絡先に連絡してください」などの音声を必要に応じて発信する。なお、音声発信機能は使用事例に応じて省略してもよい。
（ＳＴＥＰ４）
制御装置２で、指示内容に合致した箇所の抵抗器５に到達する回路４に一定時間通電す  るように制御を行う。
（ＳＴＥＰ５）
抵抗器５  に  通電によってジュール熱が発生する。
（ＳＴＥＰ６）
感熱紙の該当箇所が炙り出しのように変色し、熱変色防止液塗布個所７は白抜きに、示  温インク塗布個所８はカラー表示される。持ち歩くことが容易な軽量化されたものであ  り、ウォークラリーの参加者はチェックポイントの通過の記録が自動で残り、感熱紙は  外して持ち帰ることができる。
【００１６】
初期プロトタイプでは紙上に銅箔テープを張ることで回路を実装したフレキシブル基盤１０である。
【００１７】
量産型はプリンティング基盤を利用する。
【００１８】
産業上の利用可能性としては、通常時には見えない情報を特定の電波の受信をもって発熱基盤が起動することで情報が表示される特性を活かし、ビンゴカード（図３参照）やリアル鬼ごっこの確保マークといったエンターテイメント方面での活用が考えられる。
【００１９】
また、図４の子供や認知症の老人用の迷子カード（普段は何も書かれていないが、認知症発祥による徘徊等で迷子になった時のみ、保護責任者から電波を送信し、無くしたスマートフォンを探す要領で徘徊老人の現在地把握し、本人の首にぶら下げられた迷子カードに「緊急捜索中」とわかるマークや連絡先情報などを印字して周囲の人に通報を呼びかける仕組みにも活用できる。
【符号の説明】
【００２０】
１  受信装置
２  制御装置
３  バッテリー
４  回路
５  抵抗器
６  音声発信装置
７  ウォークラリー事例における熱変色防止液塗布個所
８  ウォークラリー事例における示温インク塗布個所
９  ウォークラリー事例における加熱前から印刷されている基本的な地図情報箇所
１０  フレキシブル基盤
２０  シート
３０  感熱紙
【図１】
2018001417.tif 000003
【図２】
2018001417.tif 000004
【図３】
2018001417.tif 000005
【図４】
2018001417.tif 000006
【図５】
2018001417.tif 000007